【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
スイッチング素子を内蔵した半導体モジュール（２）と、
上記半導体モジュールのパワー端子（２１）に接続される一対のバスバー（３）と、を有し、
上記一対のバスバーは、一部が互いに厚み方向（Ｚ）に対向配置された本体板部（３１）と、該本体板部から分岐して上記パワー端子が接続される複数の端子接続部（３２）と、を有し、
上記一対のバスバーの少なくとも一方は、上記複数の端子接続部のそれぞれを含むように環状に形成された複数の環状部（３３）を有し、
複数の上記環状部は、上記厚み方向に直交する方向に一直線状に並んで配置されており、上記バスバーは、上記複数の環状部の並び方向に沿った端縁（３１９）において、上記厚み方向に屈曲した端縁屈曲部（３５）を有する、電力変換装置（１）。
【請求項２】
上記一対のバスバーの双方が、それぞれ複数の上記環状部を有する、請求項１に記載の電力変換装置。
【請求項３】
上記端子接続部は、上記本体板部に対して上記厚み方向に立設している、請求項１又は２に記載の電力変換装置。
【請求項４】
上記端子接続部は、上記本体板部との間の立上り屈曲部（３４）の外側面に、上記本体板部の主面（３１１）と上記端子接続部の端子配置面（３２１）との間を繋ぐ曲面部（３４１）を有し、上記パワー端子の先端と上記端子接続部の先端とは、互いに同じ方向を向いている、請求項３に記載の電力変換装置。
【請求項５】
上記端子接続部は、端子配置面（３２１）の法線方向（Ｘ）から見た形状が、上記厚み方向に沿った中心線（Ｃ）を基準とした線対称形状を有する、請求項３又は４のいずれか一項に記載の電力変換装置。
【手続補正２】
【補正対象書類名】明細書
【補正対象項目名】０００６
【補正方法】変更
【補正の内容】
【０００６】
本発明の一態様は、スイッチング素子を内蔵した半導体モジュール（２）と、
上記半導体モジュールのパワー端子（２１）に接続される一対のバスバー（３）と、を有し、
上記一対のバスバーは、一部が互いに厚み方向（Ｚ）に対向配置された本体板部（３１）と、該本体板部から分岐して上記パワー端子が接続される複数の端子接続部（３２）と、を有し、
上記一対のバスバーの少なくとも一方は、上記複数の端子接続部のそれぞれを含むように環状に形成された複数の環状部（３３）を有し、
複数の上記環状部は、上記厚み方向に直交する方向に一直線状に並んで配置されており、上記バスバーは、上記複数の環状部の並び方向に沿った端縁（３１９）において、上記厚み方向に屈曲した端縁屈曲部（３５）を有する、電力変換装置（１）にある。
【手続補正３】
【補正対象書類名】明細書
【補正対象項目名】０００９
【補正方法】変更
【補正の内容】
【０００９】
【図１】参考形態１における、電力変換装置の平面説明図。
【図２】図１のII矢視相当の、端子接続部とパワー端子との接続部分の正面図。
【図３】参考形態１における、コンデンサ及び一対のバスバーの斜視図。
【図４】参考形態１における、コンデンサ及び一対のバスバーの上から見た平面図。
【図５】参考形態１における、コンデンサ及び一対のバスバーの下から見た平面図。
【図６】図４のVI−VI線矢視断面相当の、一対のバスバーの断面図。
【図７】参考形態１における、正極バスバーの一部の平面説明図。
【図８】参考形態１における、負極バスバーの一部の平面説明図。
【図９】図８のIX−IX線矢視断面相当の、端子接続部の断面図。
【図１０】参考形態１における、Ｘ方向から見た端子接続部の電流経路を示す説明図。
【図１１】参考形態１における、Ｚ方向から見た端子接続部の電流経路を示す説明図。
【図１２】実施形態１における、一対のバスバーの断面図。
【図１３】実施形態１における、コンデンサ及び一対のバスバーの平面図。
【図１４】参考形態２における、電力変換装置の平面説明図。
【図１５】図１４のXV−XV線矢視断面相当の、端子接続部とパワー端子との接続部分の断面図。
【図１６】参考形態３における、電力変換装置の平面説明図。
【手続補正４】
【補正対象書類名】明細書
【補正対象項目名】００１０
【補正方法】変更
【補正の内容】
【００１０】
（参考形態１）
電力変換装置に係る参考形態について、図１〜図１１を参照して説明する。
本形態の電力変換装置１は、図１、図２に示すごとく、半導体モジュール２と一対のバスバー３と、を有する。半導体モジュール２は、スイッチング素子を内蔵している。一対のバスバー３は、半導体モジュール２のパワー端子２１に接続される。
【手続補正５】
【補正対象書類名】明細書
【補正対象項目名】００３８
【補正方法】変更
【補正の内容】
【００３８】
（実施形態１）
本実施形態は、図１２、図１３に示すごとく、バスバー３が端縁屈曲部３５を有する、電力変換装置１の形態である。
複数の環状部３３は、厚み方向Ｚに直交する方向に一直線状に並んで配置されている。本形態においては、Ｘ方向に一直線状に、複数の環状部３３が並んで配置されている。バスバー３は、複数の環状部３３の並び方向、すなわちＸ方向に沿った端縁において、厚み方向Ｚに屈曲した端縁屈曲部３５を有する。
【手続補正６】
【補正対象書類名】明細書
【補正対象項目名】００３９
【補正方法】変更
【補正の内容】
【００３９】
つまり、端縁屈曲部３５は、連結部３１８における端子接続部３２から遠い側の端縁に形成されている。そして、端縁屈曲部３５は、Ｘ方向に連続して形成されている。
また、端縁屈曲部３５は、バスバー３の本体板部３１からＺ方向の上側に突出している。
その他の構成は、参考形態１と同様である。なお、実施形態１以降において用いた符号のうち、既出の形態において用いた符号と同一のものは、特に示さない限り、既出の形態におけるものと同様の構成要素等を表す。
【手続補正７】
【補正対象書類名】明細書
【補正対象項目名】００４０
【補正方法】変更
【補正の内容】
【００４０】
本形態においては、連結部３１８の剛性を向上させることができ、バスバー３の剛性を一層向上させることができる。これにより、バスバー３とパワー端子２１との間の接続信頼性を向上させることができる。
その他、参考形態１と同様の作用効果を有する。
【手続補正８】
【補正対象書類名】明細書
【補正対象項目名】００４１
【補正方法】変更
【補正の内容】
【００４１】
（参考形態２）
本形態は、図１４、図１５に示すごとく、バスバー３に、半導体モジュール２の出力端子２１Ａを貫通させる、貫通窓部３６を設けた形態である。
【手続補正９】
【補正対象書類名】明細書
【補正対象項目名】００４４
【補正方法】変更
【補正の内容】
【００４４】
そして、２つのバスバー３よりもＺ方向の上側において、出力端子２１Ａは、出力バスバー（図示略）と接続される。出力バスバーは、回転電機等の交流負荷に電気的に接続される。
その他の構成は、参考形態１と同様である。
【手続補正１０】
【補正対象書類名】明細書
【補正対象項目名】００４５
【補正方法】変更
【補正の内容】
【００４５】
本形態においては、出力端子２１Ａとバスバー３との干渉を効果的に防ぐことができる。また、出力端子２１Ａをコンデンサ４に近い側に配置できるため、省スペース化を図ることができ、電力変換装置１の小型化を図りやすい。
その他、参考形態１と同様の作用効果を有する。
【手続補正１１】
【補正対象書類名】明細書
【補正対象項目名】００４６
【補正方法】変更
【補正の内容】
【００４６】
（参考形態３）
本形態は、図１６に示すごとく、コンデンサ４とバスバー３との位置関係を、参考形態１とは異ならせた形態である。
すなわち、バスバー３は、コンデンサ４に対して、Ｘ方向に隣り合う位置に配置されている。つまり、バスバー３は、コンデンサ４からＸ方向に突出している。
【手続補正１２】
【補正対象書類名】明細書
【補正対象項目名】００４８
【補正方法】変更
【補正の内容】
【００４８】
また、複数の半導体モジュール２の積層方向は、Ｘ方向であり、半導体モジュール２の主面とコンデンサ４とがＸ方向に対向している。ただし、半導体モジュール２の主面とコンデンサ４との間に、他の部品が配置されていてもよい。
その他の構成は、参考形態１と同様である。
本形態においても、参考形態１と同様の作用効果を奏することができる。